(57)【要約】【課題】１台の再生装置により、合唱の各パートの音声を同時に聴取し、パート練習を可能にする音声再生装置を提供する。【解決手段】ＤＶＤ１には合唱曲の各パートの音声データと、合唱全体のステレオ音声データおよび歌詞の映像データが記録されている。これらのデータはＤＶＤプレーヤ２、サラウンド対応アンプ３により再生され、ソプラノ、アルト、テノール、バスの各パートの音声データはスピーカ４〜７から、合唱全体のステレオの音声がスピーカ８，９から出力され、プロジェクタ１０には歌詞が表示される。１台の再生装置により、各パートの音声が出力され、同時にパート練習ができる。【選択図】図１
0003163184.tif 000002
【実用新案登録請求の範囲】
【請求項１】
複数の音声データが記録されたＤＶＤと、該ＤＶＤに記録された前記複数の音声データを再生する再生部と、該再生部から出力される複数の音声出力部とを有し、
前記ＤＶＤに記録された複数の音声データに対応する複数の音声を前記複数の音声出力部から同時に出力し、複数の音声を同時に聴取できるようにしたことを特徴とする音声再生装置。
【請求項２】
前記複数の音声は合唱の各パートの音声および合唱のステレオ音声を含み、合唱の各パートの音声を前記音声出力部から同時に出力してパート練習を同時に可能としたことを特徴とする請求項１に記載の音声再生装置。
【請求項３】
前記再生部から出力される映像データを出力する映像表示部をさらに有し、
前記映像表示部は合唱の歌詞が表示されることを特徴とする請求項２記載の音声再生装置。
【考案の詳細な説明】
【技術分野】
【０００１】
本考案は、たとえば合唱の練習に適した演奏を再生可能な音声再生装置に関する。
【背景技術】
【０００２】
従来、合唱曲をＣＤに録音し、これを再生する装置が知られている。たとえば混声合唱曲の場合には、ソプラノ、アルト、テノール、バスの歌声が合成されて合唱の演奏になっている。このようなＣＤを再生装置によって再生すると合唱の演奏を再生できるだけでなく、各パートの音声も再生することができる。したがって、ＣＤ、再生装置およびスピーカをそれぞれ４個用意すればソプラノ、アルト、テノール、バスの各パートの音声をそれぞれ再生することができるから、それぞれの音声を聞いて各パートの練習をすることができる。
【０００３】
例えば特許文献１には、複数種類の音声信号の中から、複数ユーザそれぞれからの指示に応じた音声信号をそれぞれ選択してユーザ毎に個別にヘッドホンで出力するとともに、低音成分をスピーカアンプから出力し、すべてのユーザに対して同時に各音声信号と、低音成分を聴取させることができる複数音声再生装置が開示されている。
【先行技術文献】
【特許文献】
【０００４】
【特許文献１】特開２００５−２５２５９７号公報
【考案の概要】
【考案が解決しようとする課題】
【０００５】
特許文献１に開示されている再生装置は、複数のユーザにそれぞれの指示に応じた音声信号を出力し、低音成分とともに聴取させることは記載されているが、１枚のＣＤなどの記録媒体によって合唱曲を再生するとともに１個の再生装置を用いて各パートの音声を再生することは記載されていない。
従来、ソプラノ、アルト、テノール、バスの各パートの練習をする場合には、１枚のＣＤおよび１台の再生装置およびスピーカでは１つのパートの音声しか再生できないため、各パートが交代で練習する必要があった。もし各パートが同時に練習したい場合にはＣＤ、再生装置およびスピーカをそれぞれ、４個用意しなければならないという問題があった。
【０００６】
本考案は、上記問題点に鑑みてなされたもので、１枚のＤＶＤと１台の再生装置を用意するだけで各パートの音声を再生してパート練習をすることができるとともに、合唱の演奏をステレオで再生することもできる音声再生装置を提供することを目的とする。
【課題を解決するための手段】
【０００７】
本考案の音声再生装置は、複数の音声データが記録されたＤＶＤと、該ＤＶＤに記録された前記複数の音声データを再生する再生部と、該再生部から出力される複数の音声出力部とを有し、前記ＤＶＤに記録された複数の音声データに対応する複数の音声を前記複数の音声出力部から同時に出力し、複数の音声を同時に聴取できるようにしたことを特徴とする。
また、前記複数の音声は合唱の各パートの音声および合唱のステレオ音声を含み、合唱の各パートの音声を前記音声出力部から同時に出力してパート練習を同時に可能としたことを特徴とする。
さらに、前記再生部から出力される映像データを出力する映像表示部をさらに有し、前記映像表示部は合唱の歌詞が表示されることを特徴とする。
【考案の効果】
【０００８】
本考案によれば、１枚のＤＶＤと１台の再生装置を用意するのみで各パートの音声を再生してパート練習をすることができるとともに、合唱の演奏をステレオで再生することもできる音声再生装置を提供することが可能となる。
【図面の簡単な説明】
【０００９】
【図１】本考案の実施形態に係る音声再生装置のブロック図である。
【図２】本考案の実施形態に係る音声再生装置の画面の例を示す図である。
【考案を実施するための形態】
【００１０】
以下に本考案の実施形態について、図面を参照して詳細に説明する。
【００１１】
図１は、本考案の実施形態に係る音声再生装置を示す図である。
【００１２】
本装置は、ＤＶＤ１と、ＤＶＤプレーヤ２と、サラウンド対応アンプ３と、スピーカ４、５，６，７，８，９と、プロジェクタ１０とを有する。
【００１３】
ＤＶＤ（Ｄｉｇｉｔａｌ  Ｖｅｒｓａｔｉｌｅ  Ｄｉｓｃ）１は、デジタルデータの記録媒体である光ディスクであり、本実施形態においては、合唱曲のステレオ音声、各パートの音声、歌詞の映像の７つのデータが記録されている。ＤＶＤプレーヤ２は、ＤＶＤ１に記録された前記７つの情報を読み取り再生する装置である。サラウンド対応アンプ３はＤＶＤ１に記録されＤＶＤプレーヤ２により読み出された前記７つの音声データを音声信号に変換し増幅をおこなう。スピーカ４，５，６，７，８，９は、サラウンド対応アンプ３から出力された音声信号をそれぞれ音声として出力する。
【００１４】
本実施形態においては、スピーカ４からは合唱曲のソプラノのパートの歌声の音声が出力される。スピーカ５からはアルトの音声が、スピーカ６からはテノールの音声が、スピーカ７からはバスの音声が、それぞれ出力される。したがって、スピーカ４，５，６，７をそれぞれ別々の部屋に配置すれば、それぞれの部屋においては、各パートの歌声のみが出力されるから、それぞれの部屋に各パートのメンバーを集めることによりパート毎の練習を効率的にすることができる。スピーカ８、９からは合唱全体の音声、すなわち、ソプラノ、アルト、テノール、バスのすべての歌声からなる合唱の歌声の音声がステレオで出力される。たとえばスピーカ８が左（Ｌ）方向、スピーカ９が右（Ｒ）方向からの音声を出力するので、スピーカ８，９の両方を使用すれば合唱の演奏をステレオで聴くことができる。なお、合唱全体の音声のステレオの出力を各パートの音声の再生と同時に行わない場合にはスピーカ８，９を設けず、スピーカ４，５，６，７の４個とし、これらのうちいずれかの２個を用いてステレオ再生を行うようにしてもよい。
【００１５】
プロジェクタ１０はＤＶＤ１からＤＶＤプレーヤ２により読み取られた映像が表示される。本実施形態においては、合唱曲の歌詞が表示される。したがって、スピーカ４〜９のいずれかにより出力される合唱曲の音声を聴きながら歌詞を見ることができる。たとえばスピーカ４〜７のいずれかを用いてパート練習をおこなう際に、プロジェクタ１０に映された歌詞を見ながら歌うことができる。
【００１６】
図１の装置を操作する場合には、例えば図２に示すように、ＣＲＴ，テレビなどの操作用の画面１１に、「コーラス」「ソプラノ」「アルト」「テノール」「バス」の文字が表示される。図２に示すように「コーラス」の文字にカーソルを合わせてマウスをクリックすれば、コーラスが再生される。図示しないが、スピーカ４，５，６，７のいずれかを指定し、「ソプラノ」「アルト」「テノール」「バス」のいずれかを選択すればその選択されたスピーカから指定されたパートの音声が出力される。
【００１７】
以上述べたように、本考案の装置によれば、１枚のＤＶＤと１組の再生装置を用いて各パートの音声を再生することができる。したがって、たとえば４つの別々の部屋にそれぞれスピーカを配置すれば同時に４つのパートのメンバーがそれぞれの音声を聞いてパート練習を行うことができる。従来は１台の再生装置（プレーャ、アンプ）により１つのパートの音声だけしか再生できなかった。したがって、４つのパートが同時にパート練習を行おうとすると４枚のＣＤ，４台の再生装置を必要とした。本考案によれば、１枚のＤＶＤ、１組の再生装置により各パートの音声を再生できるから、効率的、経済的にパート練習を行うことができる。また、合唱の全体の演奏も再生できるし、歌詞を表示することも可能である。
【００１８】
なお、上記の実施形態においては歌詞をプロジェクタ１０に表示しているが、ＣＲＴその他に表示するようにしてもよい。また、上記の実施形態は混声合唱のパート練習の場合について記載したが、男性合唱、または女声合唱のパート練習にも適用できる。さらに合唱に限らず、たとえばオーケストラ、吹奏楽などの音声を複数の部分に分け、それぞれのスピーカから出力するようにしてもよい。
【００１９】
以上、本考案の好適な実施の形態により本考案を説明した。ここでは特定の具体例を示して本考案を説明したが、実用新案登録請求の範囲に定義された本考案の広範囲な趣旨及び範囲から逸脱することなく、これら具体的に様々な修正及び変更が可能である。
【符号の説明】
【００２０】
１    ＤＶＤ
２    ＤＶＤプレーヤ
３    サラウンド対応アンプ
４，５，６，７，８，９    スピーカ
１０    プロジェクタ
１１    操作画面
１２    カーソル
【図１】
0003163184.tif 000003
【図２】
0003163184.tif 000004